(57)【特許請求の範囲】
【請求項１】
ヘルメット本体の外表面に、油性艶出し塗料を焼き付けてなる艶出し塗料層と、前記艶出し塗料層の上に積層してなるアルミ真空蒸着膜層と、前記アルミ真空蒸着膜層の上に接着剤中に粒径が４５〜６３μ程度のビーズ粒を混入してなるビーズ材層と、前記ビーズ材層の上に配置したウレタン塗料層と、前記ウレタン塗料層の上に塗装してなる外装用塗料層とを、この順序で積層構成してなることを特徴とする再帰反射式ヘルメット。
【請求項２】
樹脂製あるいは金属製のヘルメット本体を準備する工程と、前記ヘルメット本体の外表面に積層状の表面処理層を形成する工程とからなり、前記積層状の表面処理層を形成する工程が、前記ヘルメット本体の外表面に油性艶出し塗料を吹き付けた後、焼き付けて油性艶出し塗料による第１の層を形成する工程と、前記第１の層上に、真空アルミ蒸着による第２の層を形成する工程と、前記第２の層上に、接着剤を塗布して、ビーズ材を接着してビーズ材による第３の層を形成する工程と、前記第３の層上に、ウレタン塗料を吹き付けてウレタン塗料による第４の層を形成する工程と、前記第４の層上に、カラー塗料を混入したウレタン塗料吹き付けて第５の層を形成する工程と、前記第５の層上に、外装用塗料を吹き付けて第６の層を形成する工程とからなることを特徴とする再帰反射ヘルメットの製造方法。
【発明の詳細な説明】
【０００１】
【発明の属する技術分野】
この発明は、再帰反射機能を有する再帰反射式ヘルメットに係るものであり、特に、再帰反射機能をなすビーズ層の下層に金属蒸着層を設けて、金属光沢的な再帰反射を得るようになした再帰反射式ヘルメット並びに当該再帰反射式ヘルメットを製造するための製造方法に関するものである。
【０００２】
【従来の技術】
周知のように、自動二輪車を運転する場合には、ヘルメットの着用が義務づけられており、工場内あるいは工事現場等において作業する場合にも、その安全性の観点からヘルメットの着用が推奨されている。これらのヘルメットは、運転者あるいは作業者の頭部を防御するものであって、その着用によって運転者あるいは作業者を保護するものであり、種々形態のヘルメットが開発され提供されてきている。従来のこの種のヘルメットは、上記する目的に沿って提供されており、特に、自動二輪車の運転時に義務づけられている自動二輪車用のヘルメットにあっては、形態の多様化とともに、ファッション性の面において塗装等によるデザイン処理がなされている。しかしながら、この種のヘルメットにあって、ファッション性の向上を図る手段としては、単に塗装等による手法によって、多様な装飾を施すにすぎないものであった。
【０００３】
【発明が解決しようとする課題】
そこで、この発明は、夜間時におけるヘルメットの使用に関連して、他からの僅かな光の照射によって反射し、その存在を相手に確実に視認させるという、所謂、再帰反射機能を備えたヘルメットを供するものであり、且つ、この再帰反射機能をなすビーズ層の下層に金属蒸着層を設けて、金属光沢的なファッション性に優れた再帰反射を得るようになした再帰反射式ヘルメット並びに当該再帰反射式ヘルメットを製造するための製造方法を提供するものである。
【０００４】
【課題を解決するための手段】
この発明は、上記する目的を達成するにあたって、具体的には、ヘルメット本体の外表面に、油性艶出し塗料を焼き付けてなる艶出し塗料層と、前記艶出し塗料層の上に積層してなるアルミ真空蒸着膜層と、前記アルミ真空蒸着膜層の上に接着剤中に粒径が４５〜６３μ程度のビーズ粒を混入してなるビーズ材層と、前記ビーズ材層の上に配置したウレタン塗料層と、前記ウレタン塗料層の上に塗装してなる外装用塗料層とを、この順序で積層構成してなる再帰反射式ヘルメットを構成するものである。
【０００５】
さらに、この発明は、樹脂製あるいは金属製のヘルメット本体を準備する工程と、前記ヘルメット本体の外表面に積層状の表面処理層を形成する工程とからなり、前記積層状の表面処理層を形成する工程が、前記ヘルメット本体の外表面に油性艶出し塗料を吹き付けた後、焼き付けて油性艶出し塗料による第１の層を形成する工程と、前記第１の層上に、真空アルミ蒸着による第２の層を形成する工程と、前記第２の層上に、接着剤を塗布して、ビーズ材を接着してビーズ材による第３の層を形成する工程と、前記第３の層上に、ウレタン塗料を吹き付けてウレタン塗料による第４の層を形成する工程と、前記第４の層上に、カラー塗料を混入したウレタン塗料を吹き付けて第５の層を形成する工程と、前記第５の層上に、外装用塗料を吹き付けて第６の層を形成する工程とからなる再帰反射式ヘルメットの製造方法を構成するものでもある。
【０００６】
【発明の実施の形態】
以下、この発明になる再帰反射式ヘルメット及びその製造方法について、図面に示す具体的な実施例にもとづいて詳細に説明する。
図１は、この発明になる再帰反射式ヘルメットの具体的な一実施例を示す概略的な斜視図であり、図２は、この発明になる再帰反射式ヘルメットにあって、ヘルメット本体に対する表面処理層の詳細を示す概略的な拡大断面図である。
【０００７】
まず、この発明になる再帰反射式ヘルメット１について、図面に示す具体的な一実施例にもとづいて詳細に説明する。この発明の基本構成によれば、前記再帰反射式ヘルメット１は、任意形態のヘルメット本体２と、前記ヘルメット本体２の外表面２ａに形成される表面処理層３とによって構成されるものである。この発明において、前記ヘルメット本体２は、その形状並びに形態において任意のものであって、図面に示す形状並びに形態のものに限定されるものではない。さらにまた、前記ヘルメット本体２は、その素材においても特に限定されるものではなく、ＡＢＳ樹脂製（アクリロニトリル−ブタジエン−スチレン樹脂製）、ＦＲＰ樹脂製（ガラス繊維強化プラスチック製）あるいは金属製等のいずれであってもよい。
【０００８】
次いで、この発明になる再帰反射式ヘルメット１について、その表面処理層３の詳細について、その製造手順に沿って順を追って詳細に説明する。まず、この発明にあっては、上記する樹脂製あるいは金属製のヘルメット本体２が準備される。この発明では、前記ヘルメット本体２に対し、その外表面２ａに表面処理層３が、以下に示す手順に沿って形成される。
【０００９】
前記表面処理層３は、第１の層４、第２の層５、第３の層６、第４の層７、第５の層８および第６の層９とによって構成されている。これらの層４〜９の形成工程は、前記ヘルメット本体２の外表面２ａに、油性艶出し塗料を吹き付け、８０℃〜１１０℃で９０分焼き付けて油性艶出し塗料による第１の層４を形成する工程と、前記第１の層上４ａに、真空アルミ蒸着による第２の層５を形成する工程と、艶のある鏡面（アルミ蒸着による鏡面）となった前記第２の層上５ａに対し、接着剤を均一に塗布し、ビーズ材１０を接着してビーズ材１０による第３の層６を形成する工程と、前記第３の層上６ａに、ウレタン塗料を吹き付けて、７０℃で１２０分乾燥して、ウレタン塗料による第４の層７を形成する工程と、第４の層上７ａに、カラー塗料を混入したウレタン塗料を吹き付けて、７０℃で１２０分乾燥して、第５の層８を形成する工程と、前記第５の層上８ａに対して、例えば、自動車専用の外装用塗料を吹き付け、５０℃で１２０分乾燥して、第６の層９を形成する工程とからなっている。
【００１０】
この発明において、特に重要な点は、再帰反射層としてのビーズ材１０による第３の層６の下層に、第２の層５として真空アルミ蒸着層を設けた点にある。このように、真空アルミ蒸着による第２の層５と、ビーズ材１０による第３の層６との組み合わせによって、蒸着層による金属光沢性をベースとする再帰反射層により再帰反射機能を得ることができる。
【００１１】
さらに、この発明において、前記ビーズ材１０による第３の層６の形成にあたって、前記ビーズ材１０としては、粒径が４５〜６３μｍ程度であって、屈折率が１．９３程度のビーズが用いられる。
【００１２】
【発明の効果】
以上の構成になるこの発明の再帰反射式ヘルメット及び当該再帰反射式ヘルメットの製造方法によれば、ヘルメット本体における外表面の全面に対して、真空アルミ蒸着による第２の層５と、艶のある鏡面（アルミ蒸着による鏡面）となった第２の層上５ａに対し、ビーズ材１０による第３の層６を形成する工程とを組み合わせたことによて、当該ヘルメット側に何らの光源を持たずして、他からの僅かな光線に対して即座に反応して、夜間時におけるヘルメット使用にあって、当該ヘルメット全体が、金属光沢的に再帰反射し、従来にない明るいヘルメットを供するものであって、その点において極めて有効に作用するものといえる。
【００１３】
さらに、この発明になる再帰反射式ヘルメットによれば、再帰反射層に加えてカラー塗料を使用することにより、夜間の使用時に、他からの光源によって、ヘルメットに使用したカラー色が浮きでて視認される点においても、ファッショナブルな再帰反射式ヘルメットとして極めて有効に作用するものといえる。
【００１４】
さらにまた、この発明になる再帰反射式ヘルメットによれば、真空アルミ蒸着層と、ビーズ材による再帰反射層とを組み合わせ、尚且つ、カラー塗料を組み合わせたことにより、日中下においても、使用したカラー色がより鮮明に視認されるものであり、ファッション性の向上の面において極めて有効に作用するものといえる。
【００１５】
さらにまた、この発明になる再帰反射式ヘルメットによれば、結果として、夜間使用時において、他からの光源によって当該再帰反射式ヘルメットの存在を視認でき、自動二輪車などの運転時における交通事故を可及的に防止することができる点において、さらには、真空アルミ蒸着層と、ビーズ材による再帰反射層並びにカラー塗料層との組み合わせにおいてカラー色の強調的なファッション性に寄与する点などにおいて極めて有効に作用するものといえる。
【図面の簡単な説明】
【図１】図１は、この発明になる再帰反射式ヘルメットの具体的な一実施例を示す概略的な斜視図である。
【図２】図２は、この発明になる再帰反射式ヘルメットにあって、ヘルメット本体に対する表面処理層の詳細を示す概略的な拡大断面図である。
【符号の説明】
１  再帰反射式ヘルメット
２  ヘルメット本体
２ａ  ヘルメット本体の外表面
３  表面処理層
４  油性艶出し塗料による第１の層
５  真空アルミ蒸着による第２の層
６  ビーズ材による第３の層
７  ウレタン塗料による第４の層
８  カラー塗料を混入したウレタン塗料による第５の層
９  外装用塗料による第６の層
１０  ビーズ材
４ａ  第１の層の上面
５ａ  第２の層の上面
６ａ  第３の層の上面
７ａ  第４の層の上面
８ａ  第５の層の上面
【図１】
0003581667.tif 000002
【図２】
0003581667.tif 000003